(57)【要約】検体に反応させる試薬の濃縮をより抑制可能な自動分析装置を提供する。試薬が収容され、穿孔自在な蓋が取り付けられる試薬容器と、前記蓋を穿孔する穿孔部と、穿孔によって形成される孔に挿入され、前記試薬を吸引する試薬吸引ノズルと、を備える自動分析装置であって、前記試薬容器の状態が未使用であるか使用中であるかを記憶する状態記憶部と、前記試薬容器の状態が未使用のときに前記蓋が前記穿孔部によって穿孔されると、前記状態記憶部に記憶される状態を使用中に更新する状態更新部をさらに備えることを特徴とする。
2020054336.tif 000002
【特許請求の範囲】
【請求項１】
試薬が収容され、穿孔自在な蓋が取り付けられる試薬容器と、前記蓋を穿孔する穿孔部と、穿孔によって形成される孔に挿入され、前記試薬を吸引する試薬吸引ノズルと、を備える自動分析装置であって、
前記試薬容器の状態が未使用であるか使用中であるかを記憶する状態記憶部と、
前記試薬容器の状態が未使用のときに前記蓋が前記穿孔部によって穿孔されると、前記状態記憶部に記憶される状態を使用中に更新する状態更新部をさらに備えることを特徴とする自動分析装置。
【請求項２】
請求項１に記載の自動分析装置であって、
前記状態記憶部には、前記状態更新部によって未使用から使用中に更新された日時がさらに記憶され、
前記状態記憶部から前記日時を読み出し、前記日時から現在までの経過時間が予め設定された閾値を超えたら警告を発する警告部をさらに備えることを特徴とする自動分析装置。
【請求項３】
請求項２に記載の自動分析装置であって、
前記閾値は前記試薬の使用期限に基づいて設定されることを特徴とする自動分析装置。
【請求項４】
請求項１に記載の自動分析装置であって、
前記状態記憶部には前記試薬が吸引された吸引量が記憶され、
前記状態更新部は、前記試薬吸引ノズルによって前記試薬が吸引される毎に、前記吸引量を更新し、
前記状態記憶部から前記吸引量を読み出し、前記吸引量が予め設定された閾値を超えたら警告を発する警告部をさらに備えることを特徴とする自動分析装置。
【請求項５】
請求項１に記載の自動分析装置であって、
前記試薬容器を搭載し回転する試薬ディスクをさらに備え、
前記試薬ディスクが所定の角度を回転する毎に、前記穿孔部による前記蓋の穿孔と、前記状態更新部による更新が行われることを特徴とする自動分析装置。
【請求項６】
請求項１に記載の自動分析装置であって、
前記状態記憶部は、前記試薬容器に付されるＲＦＩＤタグであり、
前記状態更新部は、前記ＲＦＩＤタグを読み書きするＲＦＩＤリーダ／ライタであることを特徴とする自動分析装置。
【請求項７】
請求項１に記載の自動分析装置であって、
前記試薬容器に付される識別コードをさらに備え、
前記状態記憶部は、前記識別コードと前記試薬容器の状態とを対応させる状態テーブルを含み、
前記状態更新部は、前記識別コードを読み取り、読み取られた識別コードに対応する前記状態テーブルの中の状態を更新することを特徴とする自動分析装置。
【請求項８】
試薬が収容され、穿孔自在な蓋が取り付けられる試薬容器と、前記蓋を穿孔する穿孔部と、穿孔によって形成される孔に挿入され、前記試薬を吸引する試薬吸引ノズルと、前記試薬容器を搭載する試薬ディスクと、を備える自動分析装置であって、
前記試薬容器に付され、前記試薬容器の状態が未使用であるか使用中であるかを記憶するＲＦＩＤタグと、
前記試薬ディスクに設けられ、前記ＲＦＩＤタグを読み書きするＲＦＩＤリーダ／ライタをさらに備えることを特徴とする自動分析装置。
【発明の詳細な説明】
【技術分野】
【０００１】
本発明は、血液や尿等の検体を分析する自動分析装置に関し、特に分析に用いられる試薬の濃度変化を低減する技術に係る。
【背景技術】
【０００２】
自動分析装置は、患者から供される血液や尿等の検体に含まれる特定成分を定量あるいは定性分析するために病院や検査施設で用いられ、患者の診断に欠かせないものとなっている。自動分析装置による検体の分析には様々な試薬が用いられ、穿孔方式または開口方式の試薬容器に収容される。穿孔方式は、穿孔自在な蓋が試薬容器に取り付けられ、使用に際して蓋を穿孔し、形成された孔に挿入されるノズルを通じて試薬を吸引する方式である。開口方式は、試薬容器の開口部に取り付けられる開閉自在な蓋を使用時に取り除き、開口部に挿入されるノズルを通じて試薬を吸引する方式である。穿孔により形成される孔は開口部よりも小さいので、穿孔方式は蒸発による試薬の濃縮等を抑制しやすく、開口方式はノズルの挿入や洗浄を短時間で行え、いずれの方式にも一長一短がある。【０００３】
特許文献1には、穿孔方式と開口方式の試薬容器が混在しても処理能力を低下させずに維持するために、試薬容器がいずれの方式であるかを判別して、判別結果に応じて試薬の吸引やノズルの洗浄の各動作時間を制御する自動分析装置が開示されている。
【先行技術文献】
【特許文献】
【０００４】
【特許文献１】特開２０１３−１７４５３６号公報
【発明の概要】
【発明が解決しようとする課題】
【０００５】
しかしながら特許文献１では、試薬容器を保持する試薬ディスクに搭載された試薬容器の蓋は、試薬を使用するかしないかに関わらず穿孔されるため、蓋の穿孔から試薬の使用開始までの間に試薬の濃縮が進み、分析結果に悪影響を与える場合がある。【０００６】
そこで、本発明は、検体に反応させる試薬の濃縮をより抑制可能な自動分析装置を提供することを目的とする。
【課題を解決するための手段】
【０００７】
上記目的を達成するために本発明は、試薬が収容され、穿孔自在な蓋が取り付けられる試薬容器と、前記蓋を穿孔する穿孔部と、穿孔によって形成される孔に挿入され、前記試薬を吸引する試薬吸引ノズルと、を備える自動分析装置であって、前記試薬容器の状態が未使用であるか使用中であるかを記憶する状態記憶部と、前記試薬容器の状態が未使用のときに前記蓋が前記穿孔部によって穿孔されると、前記状態記憶部に記憶される状態を使用中に更新する状態更新部をさらに備えることを特徴とする。【０００８】
また本発明は、試薬が収容され、穿孔自在な蓋が取り付けられる試薬容器と、前記蓋を穿孔する穿孔部と、穿孔によって形成される孔に挿入され、前記試薬を吸引する試薬吸引ノズルと、前記試薬容器を搭載する試薬ディスクと、を備える自動分析装置であって、前記試薬容器に付され、前記試薬容器の状態が未使用であるか使用中であるかを記憶するＲＦＩＤタグと、前記試薬ディスクに設けられ、前記ＲＦＩＤタグを読み書きするＲＦＩＤリーダ／ライタをさらに備えることを特徴とする。
【発明の効果】
【０００９】
本発明によれば、検体に反応させる試薬の濃縮をより抑制可能な自動分析装置を提供することができる。
【図面の簡単な説明】
【００１０】
【図１】自動分析装置の構成例を示す概略図である。
【図２】反応ディスク周辺の構成例を示す斜視図である。
【図３】試薬ジャケットが被せられた試薬ディスク周辺の構成例を示す平面図である。
【図４】実施例１の処理の流れの一例を示す図である。
【図５】実施例１のタイミングチャートの一例を示す図である。
【図６】実施例２の処理の流れの一例を示す図である。
【図７】実施例２に用いられる状態テーブルの一例を示す図である。
【発明を実施するための形態】
【００１１】
以下、添付図面に従って本発明に係る自動分析装置の好ましい実施例について説明する。なお、以下の説明及び添付図面において、同一の機能構成を有する構成要素については、同一の符号を付することにより重複説明を省略することにする。
【実施例１】
【００１２】
図１を用いて自動分析装置５００の全体構成の一例を説明する。自動分析装置５００は、患者から供される血液や尿等の検体に含まれる特定成分を定量あるいは定性分析するための装置であり、分析モジュール１００とラック搬送モジュール２００と制御装置３００を有する。図1では分析モジュール１００が一つであるが、複数の分析モジュール１００が備えられても良い。以下、各部について説明する。【００１３】
分析モジュール１００は、検体を反応ディスク１に分注し、試薬と混合させた後、定量あるいは定性分析を行うモジュールである。分析方法には、例えば、検体中の特定成分と反応して変色する試薬を用いる比色分析や、検体中の特定成分と直接あるいは間接的に結合する物質に標識体を付加した試薬を用い、標識体をカウントする免疫分析等がある。検体は、バーコード等の識別媒体が付された検体容器８に収容される。複数の検体容器８を搭載する検体ラック７はラック搬送機構９によって搬送され、識別装置２０が検体容器８の識別媒体を読み取ることによって識別された検体は検体分注機構３により反応ディスク１に分注される。試薬は、試薬分注機構２によって試薬ディスク１５から反応ディスク１に分注される。なお、試薬と混合させた検体を反応液と呼ぶ。また、反応ディスク１の周辺については図２を用いて後述する。【００１４】
ラック搬送モジュール２００は、分析モジュール１００へ検体ラック７を搬送したり、分析モジュール１００から検体ラック７を回収したりするモジュールである。ラック供給部２０１に投入された検体ラック７はラック搬送ライン２０３によってラックロータ２０５へ搬送される。ラック搬送ライン２０３上を搬送される検体ラック７に搭載された検体容器８は検体識別装置２０４により識別媒体が読み取られることにより識別される。ラックロータ２０５は検体ラック７を搭載する複数のスロット２０５ａを有し、分析モジュール１００のラック搬送機構９とスロット２０５ａとの間で検体ラック７を授受する。分析モジュール１００から回収された検体ラック７はラック収納部２０２に収納される。【００１５】
制御装置３００は自動分析装置５００の動作を制御する装置であり、制御部３０１と記憶部３０２と表示部３０３と入力部３０４を有する。表示部３０３は液晶ディスプレイ等であり、各種パラメータを設定するための画面や分析結果等を表示する。入力部３０４はキーボードやマウス、タッチパネル等であり、各種パラメータの設定や、分析に係る情報の入力、分析開始等の指示に用いられる。記憶部３０２はメモリやハードディスク、ＳＳＤ（Solid State Drive）等であり、各種パラメータや分析に係る情報、分析結果等を記憶する。制御部３０１はＣＰＵ（Central Processing Unit）等であり、各部の動作の制御や制御に係る演算等を実行する。【００１６】
図２を用いて反応ディスク１周辺の構成とともに、検体の分注から分析までの流れについて説明する。血液や尿等の検体を収容する検体容器８は検体ラック７に搭載され、ラック搬送機構９によって反応ディスク１の近傍に搬送される。検体容器８内の検体は検体分注機構３の検体分注ノズル３ａによって吸引され、反応ディスク１の反応容器１６へ吐出されることで分注される。なお検体分注機構３は、ラック搬送機構９上の検体吸引位置と反応ディスク１上の検体吐出位置である反応容器１６との間を円弧上に移動するとともに、検体吸引位置および検体吐出位置にて上下に移動する。検体分注ノズル３ａはストロー形状を有しており、検体を分注した後で洗浄乾燥槽４により洗浄と乾燥が行われる。【００１７】
検体が入った反応容器１６は反応ディスク１が回転することにより試薬ディスク１５の近傍に移動する。試薬ディスク１５には、穿孔自在な蓋が取り付けられ試薬が収容される試薬容器１４が搭載され、分析に用いられる試薬が収容された試薬容器１４が試薬ディスク１５の回転により反応ディスク１の近傍に移動する。試薬容器１４内の試薬は、試薬分注機構２に取り付けられた穿孔部であるピアス５により試薬容器１４の蓋が穿孔された後、試薬分注機構２の試薬分注ノズル２ａによって吸引され、検体が入った反応容器１６へ吐出されることで分注される。ピアス５は試薬分注ノズル２ａまたは試薬分注機構２のその他の箇所に脱着可能であり、試薬容器１４の蓋を穿孔するときに試薬分注機構２に装着され、試薬を吸引・吐出するときに試薬分注機構２から取り外される。なお試薬分注機構２は、試薬ディスク１５上の試薬吸引位置と反応ディスク１上の試薬吐出位置である反応容器１６との間を円弧上に移動するとともに、試薬吸引位置および試薬吐出位置にて上下に移動する。試薬分注ノズル２ａはストロー形状を有しており、試薬を分注した後で洗浄乾燥槽４により洗浄と乾燥が行われる。ピアス５も穿孔後に洗浄乾燥槽４により洗浄と乾燥が行われる。なお本実施例の要部である試薬ディスク１５については図３を用いて後述する。【００１８】
検体と試薬が入った反応容器１６は反応ディスク１が回転することにより攪拌機構１９の近傍に移動する。攪拌機構１９は、例えば、先端に設けられた攪拌翼を備え、攪拌翼を反応容器１６内に浸潤させて回転させることにより、反応容器１６内の検体と試薬を攪拌し混合させ、反応液を生成する。攪拌翼は反応液を生成した後で洗浄乾燥槽４により洗浄と乾燥が行われる。【００１９】
反応液が入った反応容器１６は反応ディスク１が回転することにより分光光度計１７の近傍に移動する。分光光度計１７は、反応容器１６内の反応液を通過する光を測定することにより反応液の吸光度を測定する測定装置であり、測定された吸光度と予め作成された検量線から検体中の特定成分の濃度が演算される。【００２０】
分光光度計１７による測定のあと、反応容器１６は反応ディスク１の回転により洗浄機構１８の近傍に移動する。洗浄機構１８は反応容器１６から反応液を真空ポンプにより吸引し、洗浄用ポンプにより反応容器１６内を洗浄する。【００２１】
図３を用いて本実施例の要部である試薬ディスク１５について説明する。なお図３は、試薬ディスク１５に試薬ジャケット１０を被せたときの平面図であり、試薬ジャケット１０の下にある試薬容器１４が点線で示される。試薬ジャケット１０は試薬ディスク１５に被せられ、試薬吸引口１１とＲＦＩＤリーダ／ライタ１２と試薬ジャケット蓋１３を有する。以下、各部について説明する。【００２２】
試薬吸引口１１は試薬ジャケット１０に設けられる穴であり、試薬分注機構２に装着されたピアス５や試薬分注機構２の試薬分注ノズル２ａが挿入される。試薬ディスク１５の回転により、試薬ディスク１５に搭載される試薬容器１４の蓋が試薬吸引口１１の位置に配置されるので、試薬吸引口１１を介してピアス５が蓋を穿孔したり、穿孔により形成された孔から試薬分注ノズル２ａが試薬を吸引したりする。なお、試薬ディスク１５が回転しても試薬ジャケット１０は回転しない。また試薬分注ノズル２ａから取り外されたピアス５は、ピアス保持容器６に保持される。【００２３】
ＲＦＩＤリーダ／ライタ１２は、試薬ディスク１５に搭載される試薬容器１４に付されるＲＦＩＤタグを読み書きする装置であり、状態更新部として機能する。ＲＦＩＤタグには、試薬容器１４に収容される試薬に係る情報や、試薬容器１４の状態、例えば試薬容器１４が未使用であり蓋が穿孔されていないか、使用中であり蓋が穿孔されているかが記憶される。すなわちＲＦＩＤタグは状態記憶部として機能する。ＲＦＩＤリーダ／ライタ１２は、ＲＦＩＤタグを読み取ることで、試薬に係る情報や試薬容器１４の状態を取得する。また、ＲＦＩＤリーダ／ライタ１２はＲＦＩＤタグに書き込みをすることで、試薬容器１４の状態を更新する。例えば、未使用の試薬容器１４の蓋が穿孔されると、ＲＦＩＤリーダ／ライタ１２はＲＦＩＤタグに記憶される当該試薬容器１４の状態を使用中に更新する。試薬容器１４の蓋が穿孔された後でＲＦＩＤタグに記憶される状態が使用中に更新されて、試薬容器１４中の試薬が使用されることにより、試薬の濃縮をより抑制することができる。【００２４】
試薬ジャケット蓋１３は、試薬ディスク１５の中に試薬容器１４を出し入れするための穴を塞ぐ蓋であり、試薬ジャケット１０に脱着可能である。【００２５】
図４を用いて、本実施例の処理の流れについて説明する。【００２６】
（Ｓ４０１）
試薬ディスク１５に搭載された試薬容器１４に付されたＲＦＩＤタグから試薬情報が、ＲＦＩＤリーダ／ライタ１２によって読み取られる。ＲＦＩＤリーダ／ライタ１２の読み取りにより取得される試薬情報、例えば、試薬の種類や試薬容器１４の状態は、制御装置３００の制御部３０１に送信される。【００２７】
（Ｓ４０２）
制御部３０１は、当該試薬容器１４が使用中であるか否かを判定する。使用中であれば処理の流れは終了となり、使用中でなければ、すなわち未使用であればＳ４０３に処理が進められる。【００２８】
（Ｓ４０３）
制御部３０１は、試薬分注機構２にピアス５を装着させるとともに、試薬ディスク１５を回転させて試薬吸引口１１の直下に当該試薬容器１４を配置させる。試薬容器１４の配置後、制御部３０１は、ピアス５を装着した試薬分注機構２により試薬容器１４の蓋を穿孔させる。穿孔後、制御部３０１はピアス５を洗浄させて次の穿孔に備えさせたり、ピアス５を取り外して試薬の吸引に備えさせたりする。【００２９】
（Ｓ４０４）
制御部３０１は、試薬容器１４に付されたＲＦＩＤタグに記憶される試薬情報をＲＦＩＤリーダ／ライタ１２に更新させる。すなわち、ＲＦＩＤタグに記憶される試薬容器１４の状態が未使用から使用中に更新される。【００３０】
以上説明した処理の流れにより、試薬容器１４の蓋が穿孔された後、試薬容器１４に付されたＲＦＩＤタグに記憶される状態が更新されるので、試薬の使用直前に穿孔がなされ、試薬の濃縮をより抑制することができる。なお図４の処理の流れの後、試薬容器１４からの試薬の吸引や、試薬ディスク１５の回転、反応ディスク１に係る制御が必要に応じて行われても良い。【００３１】
図５を用いて、本実施例のタイミングチャートの一例について説明する。図５は、図３に示すように試薬ディスク１５上に４つの未使用の試薬容器１４が９０度間隔で搭載され、試薬吸引口１１から１８０度の位置にＲＦＩＤリーダ／ライタ１２が配置され、試薬ディスク１５が９０度毎に回転する場合のタイミングチャートの一例である。【００３２】
まずＲＦＩＤリーダ／ライタ１２が第一の試薬容器１４のＲＦＩＤタグを読み取り、試薬ディスク１５が９０度回転する。次にＲＦＩＤリーダ／ライタ１２が第二の試薬容器１４のＲＦＩＤタグを読み取り、試薬ディスク１５がさらに９０度回転する。この時点で第一の試薬容器１４は試薬吸引口１１の直下に配置され、未使用の状態であるのでピアス５により蓋を穿孔される。また同じタイミングで、ＲＦＩＤリーダ／ライタ１２が第三の試薬容器１４のＲＦＩＤタグを読み取る。さらに試薬ディスク１５が９０度回転する間に、試薬分注機構２の回転動作とピアス５の洗浄・乾燥が行われる。この時点で未使用の状態である第二の試薬容器１４が試薬吸引口１１の直下に配置されてピアス５により蓋を穿孔され、ＲＦＩＤリーダ／ライタ１２によって第四の試薬容器１４のＲＦＩＤタグが読み取られる。その後、試薬分注機構２の回転動作とピアス５の洗浄・乾燥が行われる間に、試薬ディスク１５が９０度回転し、第一の試薬容器１４がＲＦＩＤリーダ／ライタ１２の直下に配置される。第一の試薬容器１４は穿孔されているので、ＲＦＩＤリーダ／ライタ１２により第一の試薬容器１４の状態が使用中に更新され、同じタイミングで未使用の状態である第三の試薬容器１４が穿孔される。以降、試薬ディスク１５の回転とピアス５の洗浄・乾燥や、ピアス５による穿孔とＲＦＩＤリーダ／ライタ１２による状態の更新が所定の回数繰り返される。【００３３】
図５に例示されるタイミングチャートのように、ＲＦＩＤリーダ／ライタ１２によるＲＦＩＤタグの読み書きと、試薬ディスク１５の回転、試薬分注機構２によるピアス５の穿孔と洗浄等を適切なタイミングで連動させることにより、各動作を並行して実行できる。すなわち、試薬ディスク１５が所定の角度を回転する毎に、穿孔部であるピアス５による試薬容器１４の蓋の穿孔と、状態更新部であるＲＦＩＤリーダ／ライタ１２による試薬容器１４の状態の更新が行われる。その結果、試薬情報の読み取りから試薬容器１４の穿孔とＲＦＩＤタグの更新までをより短い時間で実行することができる。【００３４】
なお、試薬吸引口１１とＲＦＩＤリーダ／ライタ１２との配置角度は図３に示す１８０度に限定されず、任意の角度であっても良い。また、試薬ディスク１５上の試薬容器１４の配置角度の間隔や試薬ディスク１５の回転角度の刻みは図３に示す９０度に限定されず、任意の角度であっても良い。ただし、試薬吸引口１１とＲＦＩＤリーダ／ライタ１２との配置角度は、試薬容器１４の配置角度の間隔や試薬ディスク１５の回転角度の刻みの倍数であることが好ましい。
【実施例２】
【００３５】
実施例１では、未使用の試薬容器１４が穿孔されると、試薬容器１４に付されたＲＦＩＤタグに記憶される試薬容器１４の状態を使用中に更新することについて説明した。試薬容器１４の状態を記憶する媒体はＲＦＩＤタグに限定されるものではなく、記憶される情報も試薬容器１４が未使用か使用中かに限定されるものではない。本実施例では、試薬情報をＲＦＩＤではなく制御装置３００の記憶部３０２に記憶させ、記憶される情報も試薬容器１４の状態が更新された日時や、試薬容器１４から吸引された吸引量を含むことについて説明する。なお実施例１と同じ構成については同じ符号を用いて説明を省略する。【００３６】
図６を用いて本実施例の処理の流れについて説明する。なお本実施例では、実施例１のＲＦＩＤタグの代わりに識別コード、例えばバーコードが各試薬容器１４に付され、ＲＦＩＤリーダ／ライタ１２の代わりにコードリーダ、例えばバーコードリーダが試薬ジャケット１０に備えられる。【００３７】
（Ｓ６０１）
試薬ディスク１５に搭載された試薬容器１４に付された識別コードが試薬情報としてコードリーダによって読み取られる。コードリーダの読み取りにより取得される試薬情報である識別コードは、制御装置３００の制御部３０１に送信される。【００３８】
（Ｓ６０２）
制御部３０１は、当該試薬容器１４が使用中であるか否かを判定する。本ステップの判定には、図７に例示される状態テーブルが用いられる。状態テーブルは、識別コードと、識別コード毎の状態、更新日時、吸引量を試薬情報として記録し、記憶部３０２に記憶される。すなわち記憶部３０２は状態記憶部として機能する。状態には識別コードに対応する試薬容器１４が未使用であるか使用中であるかが記録される。すなわち、Ｓ６０１で取得される識別コードに対応する状態が状態テーブルで参照されることにより、当該試薬容器１４が使用中であるか否かが判定される。使用中であればＳ６０４に処理が進められ、使用中でなければ、すなわち未使用であればＳ６０３に処理が進められる。【００３９】
なお状態テーブルの更新日時には識別コードに対応する試薬容器１４の状態が未使用から使用中に更新された日時が記録される。すなわち未使用の状態である識別コードの更新日時は空欄である。また吸引量には識別コードに対応する試薬容器１４から吸引された試薬の総量が記録される。すなわち未使用の状態である識別コードの吸引量は空欄であるかゼロが記録される。【００４０】
（Ｓ６０３）
制御部３０１は、試薬分注機構２にピアス５を装着させるとともに、試薬ディスク１５を回転させて試薬吸引口１１の直下に当該試薬容器１４を配置させる。試薬容器１４の配置後、制御部３０１は、ピアス５を装着した試薬分注機構２により試薬容器１４の蓋を穿孔させる。穿孔後、制御部３０１はピアス５を洗浄させて次の穿孔に備えさせるとともに、ピアス５を取り外して試薬の吸引に備えさせる。【００４１】
（Ｓ６０４）
制御部３０１は、試薬分注機構２の試薬分注ノズル２ａに試薬を吸引させるとともに、反応容器１６へ吐出させて、試薬を分注する。試薬分注ノズル２ａによって吸引された試薬の量は制御装置３００の記憶部３０２に一時的に記憶される。【００４２】
（Ｓ６０５）
制御部３０１は、状態テーブルに記録される試薬情報を更新し、状態更新部として機能する。すなわち、未使用であった試薬容器１４の状態は使用中に更新され、更新日時には更新時の日時が記録され、吸引量にはＳ６０４にて一時的に記憶された量が加算されて記録される。【００４３】
制御部３０１は、さらに更新日時の値を用いて現在までの経過時間を算出し、算出された経過時間を予め設定された閾値と比較し、経過時間が閾値を超えたら、表示部３０３に警告を表示させる。なお表示部３０３に警告を表示する代わりに、音響機器や発光ランプ等を用いて警告が発せられても良い。すなわち、表示部３０３や音響機器や発光ランプ等が警告部として機能する。【００４４】
閾値は、例えば試薬の使用期限に基づいて設定され、使用期限を閾値としても良いし、使用期限から所定の日数、例えば一週間を差し引いた値を閾値としても良い。経過時間と閾値との比較に基づいて警告が発せられることにより、試薬の濃縮をより抑制することができる。【００４５】
制御部３０１は、さらに吸引量の値を予め設定された閾値と比較し、吸引量が閾値を超えたら、警告部として機能する表示部３０３に警告を表示させる。閾値は、例えば試薬容器１４に収容される試薬の量である収容量に基づいて設定され、収容量から所定の量、例えば五回分の吸引量を差し引いた値を閾値としても良い。吸引量と閾値との比較に基づいて警告が発せられることにより、試薬容器１４の交換を適切な時期に設定することができる。【００４６】
以上説明した処理の流れにより、試薬容器１４の蓋が穿孔された後、記憶部３０２の状態テーブルに記録される試薬容器１４の状態が更新されるので、試薬の使用直前に穿孔がなされ、試薬の濃縮をより抑制することができる。また、試薬容器１４の蓋が穿孔されてからの経過時間や試薬容器１４の残量に応じて警告が発せられるので、試薬の濃縮のさらなる抑制や試薬容器１４の適切な交換時期の設定が可能になる。【００４７】
以上、本発明の複数の実施例について説明した。本発明は上記実施例に限定されるものではなく、発明の要旨を逸脱しない範囲で構成要素を変形しても良い。また、上記実施例に開示されている複数の構成要素を適宜組み合わせても良い。例えば、実施例１において、図７に示した状態テーブルに相当するものをＲＦＩＤタグに記憶させ、閾値との比較に基づき警告を発するようにしても良い。さらに、上記実施例に示される全構成要素からいくつかの構成要素を削除しても良い。
【符号の説明】
【００４８】
１：反応ディスク、２：試薬分注機構、２ａ：試薬分注ノズル、３：検体分注機構、３ａ：検体分注ノズル、４：洗浄乾燥槽、５：ピアス、６：ピアス保持容器、７：検体ラック、８：検体容器、９：ラック搬送機構、１０：試薬ジャケット、１１：試薬吸引口、１２：ＲＦＩＤリーダ／ライタ、１３：試薬ジャケット蓋、１４：試薬容器、１５：試薬ディスク、１６：反応容器、１７：分光光度計、１８：洗浄機構、１９：攪拌機構、２０：識別装置、１００：分析モジュール、２００：ラック搬送モジュール、２０１：ラック供給部、２０２：ラック収納部、２０３：ラック搬送ライン、２０４：検体識別装置、２０５：ラックロータ、３００：制御装置、３０１：制御部、３０２：記憶部、３０３：表示部、３０４：入力部、５００：自動分析装置
【図１】
2020054336.tif 000003
【図２】
2020054336.tif 000004
【図３】
2020054336.tif 000005
【図４】
2020054336.tif 000006
【図５】
2020054336.tif 000007
【図６】
2020054336.tif 000008
【図７】
2020054336.tif 000009
【手続補正書】
【提出日】令和2年11月10日(2020.11.10)
【手続補正１】
【補正対象書類名】特許請求の範囲
【補正対象項目名】全文
【補正方法】変更
【補正の内容】
【特許請求の範囲】
【請求項１】
試薬が収容され、穿孔自在な蓋が取り付けられる試薬容器と、前記蓋を穿孔する穿孔部と、穿孔によって形成される孔に挿入され、前記試薬を吸引する試薬吸引ノズルと、を備える自動分析装置であって、
前記試薬容器の状態が未使用であるか使用中であるかを記憶する状態記憶部と、
前記試薬容器の状態が未使用のときに前記蓋が前記穿孔部によって穿孔されると、前記状態記憶部に記憶される状態を使用中に更新する状態更新部と、
前記試薬容器を搭載し回転する試薬ディスクをさらに備え、
前記試薬ディスクが所定の角度を回転する毎に、前記穿孔部による前記蓋の穿孔と、前記状態更新部による更新が行われ、
前記穿孔部が挿入される試薬吸引口と前記状態更新部との配置角度は、前記試薬ディスクの回転角度の刻みの倍数であり、
前記蓋が穿孔された第一の試薬容器の状態更新と、前記第一の試薬容器とは異なる第二の試薬容器の穿孔とを並行して実行することを特徴とする自動分析装置。
【請求項２】
請求項１に記載の自動分析装置であって、
前記状態記憶部には、前記状態更新部によって未使用から使用中に更新された日時がさらに記憶され、
前記状態記憶部から前記日時を読み出し、前記日時から現在までの経過時間が予め設定された閾値を超えたら警告を発する警告部をさらに備えることを特徴とする自動分析装置。
【請求項３】
請求項２に記載の自動分析装置であって、
前記閾値は前記試薬の使用期限に基づいて設定されることを特徴とする自動分析装置。
【請求項４】
請求項１に記載の自動分析装置であって、
前記状態記憶部には前記試薬が吸引された吸引量が記憶され、
前記状態更新部は、前記試薬吸引ノズルによって前記試薬が吸引される毎に、前記吸引量を更新し、
前記状態記憶部から前記吸引量を読み出し、前記吸引量が予め設定された閾値を超えたら警告を発する警告部をさらに備えることを特徴とする自動分析装置。
【請求項５】
（削除）
【請求項６】
請求項１に記載の自動分析装置であって、
前記状態記憶部は、前記試薬容器に付されるＲＦＩＤタグであり、
前記状態更新部は、前記ＲＦＩＤタグを読み書きするＲＦＩＤリーダ／ライタであることを特徴とする自動分析装置。
【請求項７】
請求項１に記載の自動分析装置であって、
前記試薬容器に付される識別コードをさらに備え、
前記状態記憶部は、前記識別コードと前記試薬容器の状態とを対応させる状態テーブルを含み、
前記状態更新部は、前記識別コードを読み取り、読み取られた識別コードに対応する前記状態テーブルの中の状態を更新することを特徴とする自動分析装置。
【請求項８】
試薬が収容され、穿孔自在な蓋が取り付けられる試薬容器と、前記蓋を穿孔する穿孔部と、穿孔によって形成される孔に挿入され、前記試薬を吸引する試薬吸引ノズルと、前記試薬容器を搭載する試薬ディスクと、を備える自動分析装置であって、
前記試薬容器に付され、前記試薬容器の状態が未使用であるか使用中であるかを記憶するＲＦＩＤタグと、
前記試薬ディスクに設けられ、前記ＲＦＩＤタグを読み書きするＲＦＩＤリーダ／ライタをさらに備え、
前記試薬ディスクが所定の角度を回転する毎に、前記穿孔部による前記蓋の穿孔と、前記ＲＦＩＤリーダ／ライタによる更新が行われ、
前記穿孔部が挿入される試薬吸引口と前記ＲＦＩＤリーダ／ライタとの配置角度は、前記試薬ディスクの回転角度の刻みの倍数であり、
前記蓋が穿孔された第一の試薬容器に付されたＲＦＩＤタグの状態更新と、前記第一の試薬容器とは異なる第二の試薬容器の穿孔とを並行して実行することを特徴とする自動分析装置。
【国際調査報告】
2020054336.tif 000010
2020054336.tif 000011
2020054336.tif 000012
2020054336.tif 000013